(57)【要約】      （修正有）【課題】複数の付箋紙または複数の付箋の束を夫々収納でき、且つ、必要なときに必要なだけ付箋紙を容易に取り外しすることができる付箋紙セットを提供する。【解決手段】付箋紙３０を配置する台紙部１１と、台紙部１１の一の端面に折り曲げ可能に接続された背面部１２と、台紙部１１の反対側の端面に折り曲げ可能に接続された底面部１３と、台紙部１１の他の端面に折り曲げ可能に接続された前面部１４とを有し、台紙部１１は線状開口部２３を備え、底面部１３は第１の差込み部２１を備え、前面部１４は第２の差込み部２２を備え、底面部１３および前面部１４を台紙部１１の付箋紙を配置した内面方向に折り畳み、第１の差込み部２１を前面部１４の内面に配置し、第２の差込み部２２を底面部１３の内面に配置して、付箋紙３０を収納する。【選択図】図１
0003215156.tif 000002
【実用新案登録請求の範囲】
【請求項１】
シート形状の厚紙部材を折り曲げて、複数の付箋紙を収納する付箋紙セットであって、
前記付箋紙を配置する台紙部と、
前記台紙部の一の端面に折り曲げ可能に接続された背面部と、
前記背面部の端面で、前記台紙部の反対側の前記端面に折り曲げ可能に接続された底面部と、
前記台紙部の他の端面に折り曲げ可能に接続された前面部と
を有し、
前記台紙部は、前記他の端面に沿って線状に開口する線状開口部を備え、
前記底面部は、前記背面部の反対側の端面の中央に折り曲げ可能に接続された第１の差込み部を備え、
前記前面部は、前記台紙部の反対側の端面の両端に折り曲げ可能に接続された第２の差込み部を備え、
前記底面部および前記前面部を前記台紙部の前記付箋紙を配置した内面方向に折り畳み、前記第１の差込み部を該前面部の内面に配置し、前記第２の差込み部を該底面部の内面に配置して、前記付箋紙を収納する、
ことを特徴とする付箋紙セット。
【請求項２】
前記底面部および前記前面部を前記台紙部の外面方向に折り曲げ、前記第１の差込み部を該台紙部の前記線状開口部に挿入し、前記底面部、前記背面部および前記台紙部で三角柱を形成して、前記付箋紙を一枚ずつ取り外し易いように立てて配置する、
ことを特徴とする、請求項１に記載の付箋紙セット。
【請求項３】
前記台紙部、前記背面部、前記底面部および／または前記前面部の表面の少なくともいずれか１つに、所定の広告を表示するための広告表示スペースを更に備える、
ことを特徴とする、請求項１または請求項２に記載の付箋紙セット。
【考案の詳細な説明】
【技術分野】
【０００１】
本考案は、複数の付箋を収納可能な付箋紙セットに関する。また、本考案は、複数の束の付箋を収納して、且つ、付箋を容易に取り外し可能な付箋紙セットに関するものであってもよい。
【背景技術】
【０００２】
現在、日常生活やビジネス社会において、重要な事項からメモ程度の事項まで、付箋を用いて様々な内容を手軽に記録する機会が多くある。特許文献１では、付箋紙収納部底面に突起部または段差等を設けたことを特徴とする付箋紙収納器に関する技術を開示している。特許文献２では、裏面に粘着剤層を備えた複数枚の付箋紙が積層された付箋紙ブロックを保持する付箋紙保持体において、台板の表面に広告その他の表示を行う表示領域を設け、この表示領域を囲むように複数個の付箋紙ブロックを配列させて保持することを特徴とする付箋紙保持体に関する技術を開示している。特許文献３では、弾性とプラスチックで硬質の特性を具えた透明のプラスチック板からなり、側面から見ると、斜め板と平板とで∠型に形成された湾曲座と、適宜な距離で接触せず、湾曲座の斜め板上に排列して設けられる複数の付箋紙セットを含んでなることを特徴とする付箋紙座に関する技術を開示している。
【先行技術文献】
【特許文献】
【０００３】
【特許文献１】特開２００６−２７３４２１号公報
【特許文献２】登録実用新案第３０９１９１６号公報
【特許文献３】登録実用新案第３１６４４０９号公報
【考案の概要】
【考案が解決しようとする課題】
【０００４】
しかしながら、特許文献１および特許文献２に開示されている技術では、付箋紙セットの構造が複雑となり、費用が高価となる場合がある。特許文献３に開示されている技術では、付箋紙セットの位置が不安定となり、付箋の取り外しが容易にできない場合がある。
【０００５】
本考案は、複数の付箋紙または複数の付箋の束を夫々収納でき、且つ、必要なときに必要なだけ付箋紙を容易に取り外しすることができる付箋紙セットを提供することを目的とする。また、本考案は、複数の付箋紙または複数の付箋の束を夫々収納でき、且つ、広告宣伝機能を更に持たせることができる付箋紙セットを提供することを目的としてもよい。
【課題を解決するための手段】
【０００６】
上記課題を解決するために、本考案の一つの実施形態は、シート形状の厚紙部材を折り曲げて、複数の付箋紙を収納する付箋紙セットであって、前記付箋紙を配置する台紙部と、前記台紙部の一の端面に折り曲げ可能に接続された背面部と、前記背面部の端面で、前記台紙部の反対側の前記端面に折り曲げ可能に接続された底面部と、前記台紙部の他の端面に折り曲げ可能に接続された前面部とを有し、前記台紙部は、前記他の端面に沿って線状に開口する線状開口部を備え、前記底面部は、前記背面部の反対側の端面の中央に折り曲げ可能に接続された第１の差込み部を備え、前記前面部は、前記台紙部の反対側の端面の両端に折り曲げ可能に接続された第２の差込み部を備え、前記底面部および前記前面部を前記台紙部の前記付箋紙を配置した内面方向に折り畳み、前記第１の差込み部を該前面部の内面に配置し、前記第２の差込み部を該底面部の内面に配置して、前記付箋紙を収納する、ことを特徴とする付箋紙セットを提供する。
【０００７】
本考案の他の実施形態は、上記の付箋紙セットであって、前記底面部および前記前面部を前記台紙部の外面方向に折り曲げ、前記第１の差込み部を該台紙部の前記線状開口部に挿入し、前記底面部、前記背面部および前記台紙部で三角柱を形成して、前記付箋紙を一枚ずつ取り外し易いように立てて配置する、ことを特徴とする付箋紙セットであってもよい。
【０００８】
本考案の他の実施形態は、上記のいずれか１つの付箋紙セットであって、前記台紙部、前記背面部、前記底面部および／または前記前面部の表面の少なくともいずれか１つに、所定の広告を表示するための広告表示スペースを更に備える、ことを特徴とする付箋紙セットであってもよい。
【考案の効果】
【０００９】
本考案に係る付箋紙セットによれば、複数の付箋紙または複数の付箋の束を夫々収納でき、且つ、必要なときに必要なだけ付箋紙を容易に取り外しすることができる。また、本考案に係る付箋紙セットによれば、複数の付箋紙または複数の付箋の束を夫々収納でき、且つ、広告宣伝機能を更に持たせることができる。
【図面の簡単な説明】
【００１０】
【図１】本考案の実施形態に係る付箋紙セットの一例を説明する説明図である。
【図２】本考案の実施形態に係る付箋紙セットの使用例（組み立て方法）の一例を説明する説明図である。
【考案を実施するための形態】
【００１１】
実施形態に係る付箋紙セットの例を用いて、本考案を説明する。なお、本考案は、以後に説明する付箋紙セット以外でも、付箋紙（ふせん、貼り紙、紙など）を収納できるもの（ケース、カバー、ファイル、ホルダーなど）であれば、いずれのものにも用いることができる。なお、付箋紙セットの素材、色は、特に限定されない。付箋紙セットの色は、透明、半透明、色付きのものであってもよい。付箋紙セットの色は、例えば使用者（消費者）の趣味趣向に合わせた柄のものであってもよい。また、収納する付箋紙は特に限定されない。また、本考案に係る付箋紙セットの形状は、設計、実験、計算などで予め定められる形状とすることができる。また、本考案に係る付箋紙セットの形状は、角が丸まったもの又は尖ったものであってもよい。また、本考案に係る付箋紙セットの材質は、紙、シリコン、塩化ビニル、合成樹脂又はエンジニアリングプラスチックなどを用いることができる。
【００１２】
以後に、本考案を説明する。
【００１３】
図１及び図２を用いて、本考案の実施形態に係る付箋紙セットの構成を説明する。ここで、図１（ａ）は、本考案の実施形態に係る付箋紙セット１００の一例を説明する平面図である。図１（ｂ）は、本考案の実施形態に係る付箋紙セット１００の一例を説明する底面図である。図２（ａ）は、本考案の実施形態に係る付箋紙セットの使用例（収納方法）の一例を説明する説明図である。図２（ｂ）は、本考案の実施形態に係る付箋紙セットの使用例（開封方法）の一例を説明する説明図である。図２（ｃ）は、本考案の実施形態に係る付箋紙セットの使用例（組み立て方法）の一例を説明する説明図である。図２（ｄ）は、本考案の実施形態に係る付箋紙セットの使用例（付箋紙を立てて保持する方法）の一例を説明する説明図である。なお、図１等に示す付箋紙セットの構成等は一例であり、本考案は図１等に示す付箋紙セット等に限定されるものではない。
【００１４】
本考案に係る付箋紙セットは、略長方形のシート形状の厚紙部材を折り曲げて、複数の付箋紙を収納するものである。図１（ａ）および図１（ｂ）に示すように、本考案に係る付箋紙セット１００は、シート形状の厚紙部材１０を用いて、複数の付箋紙３０または複数の付箋の束を夫々収納するものである。また、図２（ａ）乃至図２（ｄ）に示すように、本考案に係る付箋紙セット１００は、取り付け部材２０を用いて、付箋紙３０を一枚ずつ取り外し易いように立てて配置するものである。付箋紙セット１００は、折畳み時に例えば縦８０ｍｍ〜１００ｍｍ、横１５０ｍｍ〜２００ｍｍのものであってもよい。本考案に係る厚紙部材１０の厚さは特に限定されない。また、厚紙部材１０の素材、色は、特に限定されない。なお、付箋紙は、所定のデザインとなるような形状や色でもよく、所定の模様や文字情報などが印字されていてもよい。また、本考案に係る付箋紙セットに用いることができる付箋の構成は、特に限定されるものではない。
【００１５】
図１（ａ）および図１（ｂ）に示すように、本考案に係る付箋紙セット１００は、付箋紙３０を配置する台紙部１１と、台紙部１１の一の端面に折り曲げ可能に接続された背面部１２と、背面部１２の端面で台紙部１１の反対側の端面に折り曲げ可能に接続された底面部１３と、台紙部１１の他の端面に折り曲げ可能に接続された前面部１４とを有する。本考案に係る付箋紙セット１００は、台紙部１１の内側の表面（以下、「内面」という。）に複数の付箋紙を配置（収納）する。下記にて、各構成を具体的に説明する。
【００１６】
台紙部１１は、内面に付箋紙３０を配置するものである。台紙部１１は、図１（ａ）に示すように、他の端面に沿って線状に開口する線状開口部２３を備える。
【００１７】
背面部１２は、台紙部１１の一の端面に折り曲げ可能に接続され、付箋紙セットの外形（背面）を形成するものである。
【００１８】
底面部１３は、背面部１２の端面に折り曲げ可能に接続され、付箋紙セットの外形（底面）を形成するものである。底面部１３は、図１（ａ）に示すように、背面部１２の反対側の端面の中央に折り曲げ可能に接続された第１の差込み部２１を備える。
【００１９】
前面部１４は、台紙部１１に折り曲げ可能に接続され、付箋紙セットの外形（前面）を形成するものである。前面部１４は、図１（ａ）に示すように、台紙部１１の反対側の端面の両端に折り曲げ可能に接続された第２の差込み部２２を備える。
【００２０】
図２（ａ）に示すように、本考案に係る付箋紙セット１００は、底面部１３および前面部１４を台紙部１１の付箋紙を配置した内面方向に折り畳み、第１の差込み部２１を前面部１４の内面に配置し、第２の差込み部２２を底面部１３の内面に配置して、付箋紙を収納することができる。
【００２１】
図２（ａ）乃至図２（ｄ）に示すように、本考案に係る付箋紙セット１００は、付箋紙３０を一枚ずつ取り外し易いように、付箋紙３０を立てて配置することができる。具体的には、本考案に係る付箋紙セット１００は、底面部１３および前面部１４を台紙部の外面方向に折り曲げ（図２（ｂ）および図２（ｃ）のＭｃ）、第１の差込み部２１を台紙部１１の線状開口部２３に挿入し（図２（ｃ）および図２（ｄ））、底面部１３、背面部１２および台紙部１１で三角柱を形成する。これにより、本考案に係る付箋紙セット１００は、付箋紙３０を一枚ずつ取り外し易いように立てて配置することができる（図２（ｄ））。
【００２２】
図１（ａ）に示すように、付箋紙セット１００は、底面部１３の第１の差込み部２１（図中の４１）および前面部１４（図中の４２）に所定の広告を表示するための広告表示スペース欄またメモ書き欄４０を設けることができる。付箋紙セット１００は、広告表示スペース欄またメモ書き欄４０に、例えば社名、住所、連絡先、商品情報を表示することができる。これにより、本考案に係る付箋紙セット１００は、付箋紙セットに広告宣伝機能を持たせることができる。また、付箋紙セット１００は、広告表示スペース欄またメモ書き欄４０を設けることができるので、付箋紙３０を使用するたびに広告を表示し、目に付き易くし、より印象的に広告を表示することができ、広告宣伝効果を高めることができる。
【００２３】
以上のとおり、本考案に係る付箋紙セットによれば、複数の付箋紙または複数の付箋の束を夫々収納できる。また、本考案に係る付箋紙セットによれば、複数の付箋紙を立てて配置することができるので、必要なときに必要なだけ付箋紙を容易に取り出すことができる。更に、本考案に係る付箋紙セットによれば、広告表示スペース欄またメモ書き欄を設けることができるので、広告宣伝機能を持たせることができる。
【００２４】
以上のとおり、本考案に係る実施形態について説明したが、本考案は上記の実施形態に
限定されるものではない。すなわち、本考案は、実用新案登録請求の範囲に記載の内容に
基づいて、様々に変形、変更又はその他任意に改変され得る。
【符号の説明】
【００２５】
１００  ：  付箋紙セット
１０  ：  厚紙部材
１１  ：  台紙部
１２  ：  背面部
１３  ：  底面部
１４  ：  前面部
２０  ：  取り付け部材
２１  ：  第１の差込み部
２２  ：  第２の差込み部
２３  ：  線状開口部
３０  ：  付箋紙（または付箋紙の束）
４０  ：  広告表示スペース、メモ書きスペース
４１  ：  広告欄部
４２  ：  メモ欄部
【図１】
0003215156.tif 000003
【図２】
0003215156.tif 000004